【事件の表示】
　特許第２７０５０４７号「ゴルフクラブ用シャフト」の特許に対する特許異議の申立てについて、次のとおり決定する。
【結論】
　訂正を認める。
　特許第２７０５０４７号の特許を維持する。
【理由】
１．手続きの経緯
　本件特許第２７０５０４７号に係る発明は、平成４年７月７日に特許出願され、平成９年１０月９日にその設定登録がなされ、その後、異議申立人藤倉ゴム工業株式会社、美津濃株式会社及び寺井徳男よりそれぞれ特許異議の申立てがなされ、取消理由通知がなされ、その指定期間内である平成１０年１２月２１日に訂正請求（後日取下げ）がなされ、訂正拒絶理由通知がなされ、その指定期間内である平成１１年４月１２日に手続補正（後日取下げ）がなされた後、再度の取消理由通知がなされ、その指定期間内である平成１１年６月１０日に訂正請求がなされたものである。
２．訂正の適否についての判断
（１）再度の取消理由
　上記再度の取消理由通知における取消理由の趣旨は、特許明細書の特許請求の範囲の請求項１には発明の構成に欠くことができない事項のみが記載されているものとは認められず、明細書の記載が不備のため、本件の請求項１に係る発明の特許は、特許法第３６条第５項の規定に違反してなされたものであるというにある。
（２）訂正の内容
　平成１１年６月１０日付けでなされた訂正請求における訂正の内容は、次のとおりである。
　▲１▼特許請求の範囲の請求項１について
　【特許請求の範囲】
　　【請求項１】　繊維方向を交差状に配置した繊維強化合成樹脂シートを巻回して成形した層の外側に、繊維方向をシャフト本体の軸長方向に引き揃えた複数枚の繊維強化合成樹脂シートを巻回して成形したゴルフクラブ用シャフトであって、繊維方向を引き揃えた当該各繊維強化合成樹脂シートを、夫々、一回巻回してその周方向巻回両端部を重ねることなく突き合わせ、又は斯かる繊維強化合成樹脂シートを複数回巻回して、巻始め側の巻回端部と当該繊維強化合成樹脂シートとが形成する段部に、巻終り側巻回端部を重ねることなく突き合わせると共に、当該各繊維強化合成樹脂シートの巻回端部の突合わせ部分を、シャフト本体の周方向に略均等に分散させたことを特徴とするゴルフクラブ用シャフト。
　とあるのを、　　　
　【特許請求の範囲】
　　【請求項１】　繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、
　この外周にシャフト本体の全長より短く、繊維方向をシャフト本体の軸長方向に引き揃えた補強用繊維強化合成樹脂シートを巻回して成形したゴルフクラブ用シャフトに於て、
　上記補強用繊維強化合成樹脂シートを、シャフト本体の長手方向に寸法の異なる複数枚の補強用繊維強化合成樹脂シートとし、
　繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、
　且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、
　繊維方向をシャフト本体の軸長方向に引き揃えた繊維強化合成樹脂シートの巻回端部の突合わせ部分と、補強用繊維強化合成樹脂シートの巻回端部の各突合わせ部分とを、シャフト本体の周方向に略均等に分散させたことを特徴とするゴルフクラブ用シャフト。
　と訂正する。
　▲２▼段落番号０００９について
　【０００９】
　　【課題を解決するための手段】
　斯かる目的を達成するため、本発明は、繊維方向を交差状に配置した繊維強化合成樹脂シートを巻回して成形した層の外側に、繊維方向をシャフト本体の軸長方向に引き揃えた複数枚の繊維強化合成樹脂シートを巻回して成形したゴルフクラブ用シャフトであって、繊維方向を引き揃えた当該各繊維強化合成樹脂シートを、夫々、一回巻回してその周方向巻回両端部を重ねることなく突き合わせ、又は斯かる繊維強化合成樹脂シートを複数回巻回して、巻始め側の巻回端部と当該繊維強化合成樹脂シートとが形成する段部に、巻終り側巻回端部を重ねることなく突き合わせると共に、当該各繊維強化合成樹脂シートの巻回端部の突合わせ部分を、シャフト本体の周方向に略均等に分散させたものである。
　とあるのを、
　【０００９】
　　【課題を解決するための手段】
　斯かる目的を達成するため、本発明は、繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、この外周にシャフト本体の全長より短く、繊維方向をシャフト本体の軸長方向に引き揃えた補強用繊維強化合成樹脂シートを巻回して成形したゴルフクラブ用シャフトに於て、上記補強用繊維強化合成樹脂シートを、シャフト本体の長手方向に寸法の異なる複数枚の補強用繊維強化合成樹脂シートとし、繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突合わせ部分とを、シャフト本体の周方向に略均等に分散させたものである。
　と訂正する。
　▲３▼段落番号００１０について
　【００１０】
　　【作用】
　本発明に係るゴルフクラブ用シャフトは、繊維強化合成樹脂シートの巻回端部の突合わせ部分を、シャフト本体の周方向に略均等に分散させたから、シャフト本体の周方向の剛性が均一となる。
　又、曲げ剛性に大きな影響を及ぼす繊維方向をシャフト本体の軸長方向に引き揃えた層の巻回端部の肉厚が均一化されたことで、シャフト本体の周方向の剛性の均一化が図られるし、巻回端部の重なり部分がないため、重なりにより生ずる段差や偏肉に起因する繊維のズレや蛇行が防止されることとなる。
　とあるのを、
　【００１０】
　　【作用】
　本発明に係るゴルフクラブ用シャフトは、繊維方向をシャフト本体の軸長方向に引き揃えた補強用繊維強化合成樹脂シートを巻回するに当たり、補強用繊維強化合成樹脂シートを、シャフト本体の長手方向に寸法の異なる複数枚の補強用繊維強化合成樹脂シートとし、そして、繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方回に引き揃えた繊維強化合成樹脂シートの巻回端部の突合わせ部分と、補強用繊維強化合成樹脂シートの巻回端部の各突合わせ部分とをシャフト本体の周方向に略均等に分散させたから、シャフト本体の周方向の剛性の均一化が図られる。
　又、巻回端部の重なり部分がないため、重なりにより生ずる段差や偏肉に起因する繊維のズレや蛇行が防止されることとなる。
　と訂正する。
　▲４▼段落番号００１３について
　【００１３】
　そして、図２に示すように上記シャフト本体７は、内層１３と外層１５からなる主管１７と、当該主管１７の後端側外周に順次積層された第一補強層１９，第二補強層２１，第三補強層２３及び第四補強層２５で構成されている。そして、図３及び図４に示すように内層１３と外層１５は、夫々、２枚のプリプレグシート２７，２９を二回宛巻回して成形され、又、補強層１９，２１，２３，２５は、４枚の補強プリプレグシート３１，３３，３５，３７を夫々主管１７の後端部３９に揃えて、一回宛巻回して成形されている。
　とあるのを、
　【００１３】
　そして、図２に示すように上記シャフト本体７は、内層１３と外層１５からなる主管１７と、当該主管１７の後端側外周に順次積層された第一補強層１９，第二補強層２１，第三補強層２３及び第四補強層２５で構成されている。そして、図３及び図４に示すように内層１３と外層１５は、夫々、シャフト本体７の全長と同一寸法に裁断された２枚のプリプレグシート２７，２９を二回宛巻回して成形され、又、補強層１９，２１，２３，２５は、シャフト本体７の全長より短く、シャフト本体７の長手方向に寸法の異なる４枚の補強プリプレグシート３１，３３，３５，３７を夫々主管１７の後端部３９に揃えて、一回宛巻回して成形されている。
　と訂正する。　　　
　▲５▼段落番号００１７について
　【００１７】
　又、上記各補強層１９，２１，２３，２５は、第一補強層１９から第四補強層２５になるに従いより弾性率の高いプリプレグシートが使用されており、斯様に補強層１９，２１，２３，２５の弾性率を順次高く設定することによって、シャフト本体７の後端部５３側の剛性を次第に大きくしている。
　とあるのを、
　【００１７】
　又、上記各補強層１９，２１，２３，２５は、第一補強層１９から第四補強層２５になるに従いより弾性率の高いプリプレグシートが使用されており、斯様に補強層１９，２１，２３，２５の弾性率を順次高く設定することによって、シャフト本体７の後端部５３側の剛性を次第に大きくしており、本実施例は．寸法の異なる４枚の補強プリプレグシート３１，３３，３５，３７を用いて、シャフト本体７の長手方向の曲げ剛性を調節したものである。
　と訂正する。
　▲６▼段落番号００２５について
　【００２５】
　このように、本実施例に係るシャフト本体７は、主管１７の内層１３を構成するプリプレグシート２５の巻回両端部２５ａ，２５ｂと、外層１５を構成するプリプレグシート２７の巻回両端部２７ａ，２７ｂとの突合わせ部分を、シャフト本体７の周方向へ１８０°ずらすと共に、各補強層１９，２１，２３，２５を形成する補強プリプレグシート３１，３３，３５，３７の各巻回両端部の突合わせ部分を、シャフト本体７の周方向へ夫々９０゜　宛ずらして分散させたので、シャフト本体７の周方向の剛性が均一化されることとなる。
　とあるのを、
　【００２５】
　このように、本実施例に係るシャフト本体７は、主管１７の内層１３を構成するプリプレグシート２７の巻回両端部２７ａ，２７ｂと、外層１５を構成するプリプレグシート２９の巻回両端部２９ａ，２９ｂとの突合わせ部分を、シャフト本体７の周方向へ１８０゜　ずらすと共に、各補強層１９，２１，２３，２５を形成する補強プリプレグシート３１，３３，３５，３７の各巻回両端部の突合わせ部分を、シャフト本体７の周方向へ夫々９０゜　宛ずらして分散させたので、シャフト本体７の周方向の剛性が均一化されることとなる。
　と訂正する。
　▲７▼段落番号００２６について
　【００２６】
　而も、既述したように本実施例は、特に、曲げ剛性に大きな影響を及ぼす繊維方向をシャフト本体の軸長方向に引き揃えたプリプレグシート２９，３１，３３，３５，３７を巻回して成形した層の巻回端部の肉厚を均一化したので、効率良く確実にシャフト本体７の剛性の均一化が図れるし、各巻回端部の重なり部分がないので、重なりにより生ずる段差や偏肉に起因する繊維のズレや蛇行が防止でき、強度の安定向上が図れ、この結果、斯かるシャフト本体７を装着したゴルフクラブをスイングしたとき、シャフト本体７はその周方向に異方性が発生することなくヘッド９の振れが防止でき、正確なスイングが可能となる。
　とあるのを、
　【００２６】
　而も、既述したように本実施例は、特に、曲げ剛性に大きな影響を及ほす繊維方向をシャフト本体の軸長方向に引き揃えたブリプレグシート２９，３１，３３，３５，３７を巻回して成形した層の肉厚を均一化したので、補強プリプレグシート３１，３３，３５，３７により長手方向にシャフト本体７の肉厚を変化させて曲げ剛性の調節を行う際にも、全周面に亘りシャフト本体７が同じ肉厚となってシャフト本体７の周方向の剛性の均一化が図れるし、各巻回端部の重なり部分がないので、重なりにより生ずる段差や偏肉に起因する繊維のズレや蛇行が防止でき、強度の安定向上が図れ、この結果、斯かるシャフト本体７を装着したゴルフクラブをスイングしたとき、シャフト本体７はその周方向に異方性が発生することなくヘッド９の振れが防止でき、正確なスイングが可能となる。
　と訂正する。
　▲８▼段落番号００３０について
　【００３０】
　従って、本実施例によれば、腕のあるゴルファーに適した空気抵抗が小さく充分な剛性を持つゴルフクラブを提供することができる効果を併せて有する。
　尚、上記実施例では、プリプレグシート２５，２７を夫々二回宛巻回して内層１３と外層１５を成形し、又、補強プリプレグシート３１，３３，３５，３７を夫々一回宛巻回して各補強層１９，２１，２３，２５を主管１７の外周に成形したが、要するに本発明は、複数枚の繊維強化合成樹脂シートを夫々整数回宛巻回して、各繊維強化合成樹脂シートの巻回両端部を重ねることなく突き合わせると共に、これらの突き合わせ部分を、夫々、シャフト本体の周方向へ略均等に分散させたことを特徴とするから、繊維強化合成樹脂シートの巻回数は上記実施例に限定されるものではない。
　従って、上記実施例に代え、プリプレグシート２７を一回巻回して外層を成形した後、この外周に補強プリプレグシート３１，３３，３５，３７を夫々一回宛巻回してもよいし、又、プリプレグシート２７，３１，３３，３５，３７を夫々二回以上巻回してもよく、各プリプレグシートの巻回数とその組合せは任意に選択可能である。
　とあるのを、
　【００３０】
　従って、本実施例によれば、腕のあるゴルファーに適した空気抵抗が小さく充分な剛性を持つゴルフクラブを提供することができる効果を併せて有する。
　尚、上記実施例では、プリプレグシート２５，２７を夫々二回宛巻回して内層１３と外層１５を成形し、又、補強プリプレグシート３１，３３，３５，３７を夫々一回宛巻回して各補強層１９，２１，２３，２５を主管１７の外周に成形したが、各プリプレグシート２７，３１，３３，３５，３７の巻回数は上記実施例に限定されるものではない。
　従って、上記実施例に代え、プリプレグシート２７を一回巻回して外層を成形した後、この外周に補強プリプレグシート３１，３３，３５，３７を夫々一回宛巻回してもよいし、又、プリプレグシート２７，３１，３３，３５，３７を夫々二回以上巻回してもよく、各プリプレグシートの巻回数とその組合せは任意に選択可能である。
　と訂正する。
　▲９▼段落番号００３１について
　【００３１】
　　【発明の効果】
　以上述べたように、本発明に係るゴルフクラブ用シャフトによれば、曲げ剛性に大きな影響を及ぼす繊維方向をシャフト本体の軸長方向に引き揃えた繊維強化合成樹脂シートの周方向の巻回端部を突き合わせると共に、これらの突合わせ部分を、シャフト本体の周方向へ略均一に分散させたので、シャフト本体の周方向の剛性が均一化されることとなる。
　而も、斯かる繊維強化合成樹脂シートの巻回端部を突き合わせることにより、巻回端部の重なり部分がないため、重なりにより生ずる段差や偏肉に起因する繊維のズレや蛇行が防止でき、この結果、強度の安定向上が図れ、スイング時に振れのないゴルフクラブを提供することが可能となった。
　とあるのを、
　【００３１】
　　【発明の効果】
　以上述べたように、本発明は、繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、この外周にシャフト本体の全長より短く、繊維方回をシャフト本体の軸長方回に引き揃えた補強用繊維強化合成樹脂シートを巻回して成形したゴルフクラブ用シャフトに於て、補強プリプレグシートを巻回してシャフト本体の長手方向の曲げ剛性を調節するに当たり、補強用繊維強化合成樹脂シートを、シャフト本体の長手方向に寸法の異なる複数枚の補強用繊維強化合成樹脂シートとし、そして、繊維方向をシャフト本体の軸長方向に引き揃えた上記繊維強化合成樹脂シートを一回巻回して、その周方向巻回両端部を重ねことなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突合わせ部分とを、シャフト本体の周方向に略均等に分散させたので、全周面に亘りシャフト本体が同じ肉厚となってシャフト本体の周方向の剛性が均一化されることとなる。
　而も、繊維強化合成樹脂シートの巻回端部を突き合わせると共に、補強用繊維強化合成樹脂シートの巻回端部を突き合わせることにより、巻回端部の重なり部分がないため、重なりにより生ずる段差や偏肉に起因する繊維のズレや蛇行が防止でき、この結果、強度の安定向上が図れ、スイング時に振れのないゴルフクラブを提供することが可能となった。
　と訂正する。
（３）訂正の目的の適否、新規事項の有無及び拡張・変更の存否
　▲１▼について
　この特許請求の範囲の訂正は、願書に添付した明細書の特許請求の範囲の請求項１の「繊維方向をシャフト本体の軸長方向に引き揃えた複数枚の繊維強化合成樹脂シート」を「シャフト本体の全長と同一寸法で、繊維方向をシャフト本体の軸長方向に引き揃えた繊維強化合成樹脂シート」と「シャフト本体の全長より短く、繊維方向をシャフト本体の軸長方向に引き揃え」たものであって、「シャフト本体の長手方向に寸法の異なる複数枚の補強用繊維強化合成樹脂シート」ととから成るものに限定するものであり、段落番号００１３〜００１８の記載に基づくものであり、また特許請求の範囲の減縮に相当するものであり、実質的に特許請求の範囲を拡張しあるいは変更するものではない。
　▲２▼、▲３▼、▲４▼について
　段落番号０００９、００１０、００１３についての訂正は、特許請求の範囲の減縮に整合させるための訂正であり、明りょうでない記載の釈明に相当するものである。
　▲５▼について
　段落番号００１７についての訂正は、特許請求の範囲の減縮に整合させるための訂正であり、かつ、実施例の構成を明確にし、その作用を明確にしたものであり、明りょうでない記載の釈明に相当するものと認められる。
　▲６▼について
　段落番号００２５についての訂正は、誤記の訂正に相当するものである。
　▲７▼、▲８▼について
　段落番号００２６、００３０についての訂正は、特許請求の範囲の減縮に整合させるための訂正であり、明りょうでない記載の釈明に相当するものである。
　▲９▼について
　段落番号００３１についての訂正は、特許請求の範囲の減縮に整合させるための訂正であり、かつ、発明の効果を明りょうにしたものであり、明りょうでない記載の釈明に相当するものと認められる。
（４）独立特許要件の判断
　本件特許明細書の記載は上記平成１１年６月１０日付けの訂正請求により上記のように訂正されたので、上記再度の取消理由通知における取消理由は解消されたものと認められる。
　そして、訂正明細書の請求項１に係る発明は、特許出願の際独立して特許を受けることができるものである。
（５）むすび
　以上のとおりであるから、上記訂正請求は、特許法第１２０条の４第２項及び同条第３項で準用する第１２６条第２〜４項の規定に適合するので、当該訂正を認める。
３．特許異議申立てについて
（１）請求項１に係る発明
　上記訂正明細書の請求項１に係る発明（以下、「本件発明」という。）は、その特許請求の範囲の請求項１に記載されている事項により特定されるとおりのものである。
（２）申立ての理由の概要
　申立人藤倉ゴム工業株式会社は、甲第１号証として米国特許第４０９７６２６号明細書、甲第２号証として特開昭６３−３９３２７号公報及び甲第３号証として週間パーゴルフ平成２年１１月６日号の抜粋（〈Ｊ’ｓメタル〉シャフトの全貌を剥ぐ）を提出し、本件特許発明は、甲第１号証〜甲第３号証に記載されたものから当業者が容易に発明をすることができたものであるから、特許法第２９条第２項の規定により特許を受けることができないものであると主張している。
　また、申立人美津濃株式会社は、甲第１号証として特開昭６０−２１２３３４号公報、甲第２号証として特開昭５４−９１５７１号公報、甲第３号証として昭和６２年（１９８７年）３月３日にユニバーサルゴルフ社より発行された「‘８７ゴルフ用品総合カタログ」の表紙、社名別索引、第４０１頁、奥付きのコピー、甲第４号証の（イ）として、甲第３号証に掲載された横浜ゴム株式会社が製造販売のゴルフクラブ「μ−２４０」の現物の全体及びヘッド部、グリップ部を撮った写真、甲第４号証（ロ）として、甲第３号証に掲載された横浜ゴム株式会社が製造販売のゴルフクラブ「μ−２４０」の現物のシャフトの先端部から３５０ｍｍの位置を切断した端面の２０倍拡大顕微鏡写真のカラーコピーを提出し、本件発明は、甲第１号証〜甲第４号証に記載されたものから当業者が容易に発明をすることができたものであるから、特許法第２９条第２項の規定により特許を受けることができないものであり、本件発明の特許は特許法第１１３条第１項第２号の規定により取り消されるべきものと主張している。
　さらに、申立人寺井徳男は、甲第１号証として特開平３−８２４８６号公報、甲第２号証として特開昭６０−２１２３３４号公報、甲第３号証として特開昭６３−３９３２７号公報、甲第４号証として実願昭５１−１１７４１７号（実開昭５３−３５８８６号）のマイクロフィルム、甲第５号証として実願昭６２−１３２０７７号（実開昭６４−３７２６４号）のマイクロフィルムを提出し、本件発明は、甲第１号証〜甲第５号証に記載されたものから当業者が容易に発明をすることができたものであるから、特許法第２９条第２項の規定により特許を受けることができないものであると主張している。
（４）対比・判断
　本件発明と上記各異議申立人が提出した甲各号証に記載の発明とを対比すると、いずれの甲各号証にも、本件発明を特定する事項である「シャフト本体の全長より短く、繊維方向をシャフト本体の軸長方向に引き揃えた補強用繊維強化合成樹脂シート」を、「シャフト本体の長手方向に寸法の異なる複数枚の補強用繊維強化合成樹脂シート」とすると共に、この補強用繊維強化合成樹脂シートの各捲回端部を突合わせ、各突き合わせ部分をシャフト本体の軸方向に略均等に分散させることは、記載も示唆もされていない。
　そして、本件発明は、上記事項により、全周面に亘りシャフト本体が同じ肉厚となってシャフト本体の周方向の剛性が均一化され、かつ、重なりにより生ずる段差や偏肉に起因する繊維のズレや蛇行が防止でき、その結果、強度の安定向上が図れ、スイング時に振れのないゴルフクラブを提供することが可能となるという顕著な効果を奏するものである。
　したがって、本件発明が、上記甲各号証に記載のものから容易に発明をすることができたものとすることはできない。
　また、他に本件発明の特許を取り消すべき理由を発見しない。
　よって、結論のとおり決定する。
【異議決定日】
平成１１年６月３０日（１９９９．６．３０）
【訂正の要旨】
　▲１▼特許請求の範囲の請求項１について
　【特許請求の範囲】
　【請求項１】　繊維方向を交差状に配置した繊維強化合成樹脂シートを巻回して成形した層の外側に、繊維方向をシャフト本体の軸長方向に引き揃えた複数枚の繊維強化合成樹脂シートを巻回して成形したゴルフクラブ用シャフトであって、繊維方向を引き揃えた当該各繊維強化合成樹脂シートを、夫々、一回巻回してその周方向巻回両端部を重ねることなく突き合わせ、又は斯かる繊維強化合成樹脂シートを複数回巻回して、巻始め側の巻回端部と当該繊維強化合成樹脂シートとが形成する段部に、巻終り側巻回端部を重ねることなく突き合わせると共に、当該各繊維強化合成樹脂シートの巻回端部の突合わせ部分を、シャフト本体の周方向に略均等に分散させたことを特徴とするゴルフクラブ用シャフト。
　とあるのを、特許請求の範囲の減縮を目的として、
　【特許請求の範囲】
　【請求項１】　繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、
　この外周にシャフト本体の全長より短く、繊維方向をシャフト本体の軸長方向に引き揃えた補強用繊維強化合成樹脂シートを巻回して成形したゴルフクラブ用シャフトに於て、
　上記補強用繊維強化合成樹脂シートを、シャフト本体の長手方向に寸法の異なる複数枚の補強用繊維強化合成樹脂シートとし、
　繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、
　且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、
　繊維方向をシャフト本体の軸長方向に引き揃えた繊維強化合成樹脂シートの巻回端部の突合わせ部分と、補強用繊維強化合成樹脂シートの巻回端部の各突合わせ部分とを、シャフト本体の周方向に略均等に分散させたことを特徴とするゴルフクラブ用シャフト。
　と訂正する。
　▲２▼段落番号０００９について
　【０００９】
　【課題を解決するための手段】
　斯かる目的を達成するため、本発明は、繊維方向を交差状に配置した繊維強化合成樹脂シートを巻回して成形した層の外側に、繊維方向をシャフト本体の軸長方向に引き揃えた複数枚の繊維強化合成樹脂シートを巻回して成形したゴルフクラブ用シャフトであって、繊維方向を引き揃えた当該各繊維強化合成樹脂シートを、夫々、一回巻回してその周方向巻回両端部を重ねることなく突き合わせ、又は斯かる繊維強化合成樹脂シートを複数回巻回して、巻始め側の巻回端部と当該繊維強化合成樹脂シートとが形成する段部に、巻終り側巻回端部を重ねることなく突き合わせると共に、当該各繊維強化合成樹脂シートの巻回端部の突合わせ部分を、シャフト本体の周方向に略均等に分散させたものである。
　とあるのを、明りょうでない記載の釈明を目的として、
　【０００９】
　【課題を解決するための手段】
　斯かる目的を達成するため、本発明は、繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、この外周にシャフト本体の全長より短く、繊維方向をシャフト本体の軸長方向に引き揃えた補強用繊維強化合成樹脂シートを巻回して成形したゴルフクラブ用シャフトに於て、上記補強用繊維強化合成樹脂シートを、シャフト本体の長手方向に寸法の異なる複数枚の補強用繊維強化合成樹脂シートとし、繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突合わせ部分とを、シャフト本体の周方向に略均等に分散させたものである。
　と訂正する。
　▲３▼段落番号００１０について
　【００１０】
　【作用】
　本発明に係るゴルフクラブ用シャフトは、繊維強化合成樹脂シートの巻回端部の突合わせ部分を、シャフト本体の周方向に略均等に分散させたから、シャフト本体の周方向の剛性が均一となる。
　又、曲げ剛性に大きな影響を及ぼす繊維方向をシャフト本体の軸長方向に引き揃えた層の巻回端部の肉厚が均一化されたことで、シャフト本体の周方向の剛性の均一化が図られるし、巻回端部の重なり部分がないため、重なりにより生ずる段差や偏肉に起因する繊維のズレや蛇行が防止されることとなる。
　とあるのを、明りょうでない記載の釈明を目的として、
　【００１０】
　【作用】
　本発明に係るゴルフクラブ用シャフトは、繊維方向をシャフト本体の軸長方向に引き揃えた補強用繊維強化合成樹脂シートを巻回するに当たり、補強用繊維強化合成樹脂シートを、シャフト本体の長手方向に寸法の異なる複数枚の補強用繊維強化合成樹脂シートとし、そして、繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方回に引き揃えた繊維強化合成樹脂シートの巻回端部の突合わせ部分と、補強用繊維強化合成樹脂シートの巻回端部の各突合わせ部分とをシャフト本体の周方向に略均等に分散させたから、シャフト本体の周方向の剛性の均一化が図られる。
　又、巻回端部の重なり部分がないため、重なりにより生ずる段差や偏肉に起因する繊維のズレや蛇行が防止されることとなる。
　と訂正する。
　▲４▼段落番号００１３について
　【００１３】
　そして、図２に示すように上記シャフト本体７は、内層１３と外層１５からなる主管１７と、当該主管１７の後端側外周に順次積層された第一補強層１９，第二補強層２１，第三補強層２３及び第四補強層２５で構成されている。そして、図３及び図４に示すように内層１３と外層１５は、夫々、２枚のプリプレグシート２７，２９を二回宛巻回して成形され、又、補強層１９，２１，２３，２５は、４枚の補強プリプレグシート３１，３３，３５，３７を夫々主管１７の後端部３９に揃えて、一回宛巻回して成形されている。
　とあるのを、明りょうでない記載の釈明を目的として、
　【００１３】
　そして、図２に示すように上記シャフト本体７は、内層１３と外層１５からなる主管１７と、当該主管１７の後端側外周に順次積層された第一補強層１９，第二補強層２１，第三補強層２３及び第四補強層２５で構成されている。そして、図３及び図４に示すように内層１３と外層１５は、夫々、シャフト本体７の全長と同一寸法に裁断された２枚のプリプレグシート２７，２９を二回宛巻回して成形され、又、補強層１９，２１，２３，２５は、シャフト本体７の全長より短く、シャフト本体７の長手方向に寸法の異なる４枚の補強プリプレグシート３１，３３，３５，３７を夫々主管１７の後端部３９に揃えて、一回宛巻回して成形されている。
　と訂正する。
　▲５▼段落番号００１７について
　【００１７】
　又、上記各補強層１９，２１，２３，２５は、第一補強層１９から第四補強層２５になるに従いより弾性率の高いプリプレグシートが使用されており、斯様に補強層１９，２１，２３，２５の弾性率を順次高く設定することによって、シャフト本体７の後端部５３側の剛性を次第に大きくしている。
　とあるのを、明りょうでない記載の釈明を目的として、
　【００１７】
　又、上記各補強層１９，２１，２３，２５は、第一補強層１９から第四補強層２５になるに従いより弾性率の高いプリプレグシートが使用されており、斯様に補強層１９，２１，２３，２５の弾性率を順次高く設定することによって、シャフト本体７の後端部５３側の剛性を次第に大きくしており、本実施例は．寸法の異なる４枚の補強プリプレグシート３１，３３，３５，３７を用いて、シャフト本体７の長手方向の曲げ剛性を調節したものである。
　と訂正する。
　▲６▼段落番号００２５について
　【００２５】
　このように、本実施例に係るシャフト本体７は、主管１７の内層１３を構成するプリプレグシート２５の巻回両端部２５ａ，２５ｂと、外層１５を構成するプリプレグシート２７の巻回両端部２７ａ，２７ｂとの突合わせ部分を、シャフト本体７の周方向へ１８０゜ずらすと共に、各補強層１９，２１，２３，２５を形成する補強プリプレグシート３１，３３，３５，３７の各巻回両端部の突合わせ部分を、シャフト本体７の周方向へ夫々９０゜　宛ずらして分散させたので、シャフト本体７の周方向の剛性が均一化されることとなる。
　とあるのを、誤記の訂正を目的として、
　【００２５】
　このように、本実施例に係るシャフト本体７は、主管１７の内層１３を構成するプリプレグシート２７の巻回両端部２７ａ，２７ｂと、外層１５を構成するプリプレグシート２９の巻回両端部２９ａ，２９ｂとの突合わせ部分を、シャフト本体７の周方向へ１８０°　ずらすと共に、各補強層１９，２１，２３，２５を形成する補強プリプレグシート３１，３３，３５，３７の各巻回両端部の突合わせ部分を、シャフト本体７の周方向へ夫々９０゜　宛ずらして分散させたので、シャフト本体７の周方向の剛性が均一化されることとなる。
　と訂正する。
　▲７▼段落番号００２６について
　【００２６】
　而も、既述したように本実施例は、特に、曲げ剛性に大きな影響を及ぼす繊維方向をシャフト本体の軸長方向に引き揃えたプリプレグシート２９，３１，３３，３５，３７を巻回して成形した層の巻回端部の肉厚を均一化したので、効率良く確実にシャフト本体７の剛性の均一化が図れるし、各巻回端部の重なり部分がないので、重なりにより生ずる段差や偏肉に起因する繊維のズレや蛇行が防止でき、強度の安定向上が図れ、この結果、斯かるシャフト本体７を装着したゴルフクラブをスイングしたとき、シャフト本体７はその周方向に異方性が発生することなくヘッド９の振れが防止でき、正確なスイングが可能となる。
　とあるのを、明りょうでない記載の釈明を目的として、
　【００２６】
　而も、既述したように本実施例は、特に、曲げ剛性に大きな影響を及ぼす繊維方向をシャフト本体の軸長方向に引き揃えたブリプレグシート２９，３１，３３，３５，３７を巻回して成形した層の肉厚を均一化したので、補強プリプレグシート３１，３３，３５，３７により長手方向にシャフト本体７の肉厚を変化させて曲げ剛性の調節を行う際にも、全周面に亘りシャフト本体７が同じ肉厚となってシャフト本体７の周方向の剛性の均一化が図れるし、各巻回端部の重なり部分がないので、重なりにより生ずる段差や偏肉に起因する繊維のズレや蛇行が防止でき、強度の安定向上が図れ、この結果、斯かるシャフト本体７を装着したゴルフクラブをスイングしたとき、シャフト本体７はその周方向に異方性が発生することなくヘッド９の振れが防止でき、正確なスイングが可能となる。
　と訂正する。
　▲８▼段落番号００３０について
　【００３０】
　従って、本実施例によれば、腕のあるゴルファーに適した空気抵抗が小さく充分な剛性を持つゴルフクラブを提供することができる効果を併せて有する。
　尚、上記実施例では、プリプレグシート２５，２７を夫々二回宛巻回して内層１３と外層１５を成形し、又、補強プリプレグシート３１，３３，３５，３７を夫々一回宛巻回して各補強層１９，２１，２３，２５を主管１７の外周に成形したが、要するに本発明は、複数枚の繊維強化合成樹脂シートを夫々整数回宛巻回して、各繊維強化合成樹脂シートの巻回両端部を重ねることなく突き合わせると共に、これらの突き合わせ部分を、夫々、シャフト本体の周方向へ略均等に分散させたことを特徴とするから、繊維強化合成樹脂シートの巻回数は上記実施例に限定されるものではない。
　従って、上記実施例に代え、プリプレグシート２７を一回巻回して外層を成形した後、この外周に補強プリプレグシート３１，３３，３５，３７を夫々一回宛巻回してもよいし、又、プリプレグシート２７，３１，３３，３５，３７を夫々二回以上巻回してもよく、各プリプレグシートの巻回数とその組合せは任意に選択可能である。
　とあるのを、明りょうでない記載の釈明を目的として、
　【００３０】
　従って、本実施例によれば、腕のあるゴルファーに適した空気抵抗が小さく充分な剛性を持つゴルフクラブを提供することができる効果を併せて有する。
　尚、上記実施例では、プリプレグシート２５，２７を夫々二回宛巻回して内層１３と外層１５を成形し、又、補強プリプレグシート３１，３３，３５，３７を夫々一回宛巻回して各補強層１９，２１，２３，２５を主管１７の外周に成形したが、各プリプレグシート２７，３１，３３，３５，３７の巻回数は上記実施例に限定されるものではない。
　従って、上記実施例に代え、プリプレグシート２７を一回巻回して外層を成形した後、この外周に補強プリプレグシート３１，３３，３５，３７を夫々一回宛巻回してもよいし、又、プリプレグシート２７，３１，３３，３５，３７を夫々二回以上巻回してもよく、各プリプレグシートの巻回数とその組合せは任意に選択可能である。
　と訂正する。
　▲９▼段落番号００３１について
　【００３１】
　【発明の効果】
　以上述べたように、本発明に係るゴルフクラブ用シャフトによれば、曲げ剛性に大きな影響を及ぼす繊維方向をシャフト本体の軸長方向に引き揃えた繊維強化合成樹脂シートの周方向の巻回端部を突き合わせると共に、これらの突合わせ部分を、シャフト本体の周方向へ略均一に分散させたので、シャフト本体の周方向の剛性が均一化されることとなる。
　而も、斯かる繊維強化合成樹脂シートの巻回端部を突き合わせることにより、巻回端部の重なり部分がないため、重なりにより生ずる段差や偏肉に起因する繊維のズレや蛇行が防止でき、この結果、強度の安定向上が図れ、スイング時に振れのないゴルフクラブを提供することが可能となった。
　とあるのを、明りょうでない記載の釈明を目的として、
　【００３１】
　【発明の効果】
　以上述べたように、本発明は、繊維方向を交差状に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、この外周にシャフト本体の全長より短く、繊維方回をシャフト本体の軸長方回に引き揃えた補強用繊維強化合成樹脂シートを巻回して成形したゴルフクラブ用シャフトに於て、補強プリプレグシートを巻回してシャフト本体の長手方向の曲げ剛性を調節するに当たり、補強用繊維強化合成樹脂シートを、シャフト本体の長手方向に寸法の異なる複数枚の補強用繊維強化合成樹脂シートとし、そして、繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突合わせ部分とを、シャフト本体の周方向に略均等に分散させたので、全周面に亘りシャフト本体が同じ肉厚となってシャフト本体の周方向の剛性が均一化されることとなる。
　而も、繊維強化合成樹脂シートの巻回端部を突き合わせると共に、補強用繊維強化合成樹脂シートの巻回端部を突き合わせることにより、巻回端部の重なり部分がないため、重なりにより生ずる段差や偏肉に起因する繊維のズレや蛇行が防止でき、この結果、強度の安定向上が図れ、スイング時に振れのないゴルフクラブを提供することが可能となった。
　と訂正する。
（５４）【発明の名称】
ゴルフクラブ用シャフト
（５７）【特許請求の範囲】
　【請求項１】　繊維方向を交差状に配置した繊維強化合成樹脂シートを巻回して成形した層の外側に、
シャフト本体の全長と同一寸法で、
繊維強化合成樹脂シートを巻回すると共に、
　
この外周にシャフト本体の全長より短く、繊維方向をシャフト本体の軸長方向に引き揃えた補強用繊維強化合成樹脂シートを巻回して成形したゴルフクラブ用シャフトに於て、
　
上記補強用繊維強化合成樹脂シートを、シャフト本体の長手方向に寸法の異なる複数枚の補強用繊維強化合成樹脂シートとし、
　
繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終わり側巻回端部を重ねることなく突き合わせ、
　
且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終わり側巻回端部を重ねることなく突き合わせると共に、
　
繊維方向をシャフト本体の軸長方向に引き揃えた繊維強化合成樹脂シートの巻回端部の突合わせ部分と、補強用繊維強化合成樹脂シートの巻回端部の各突合わせ部分と
【発明の詳細な説明】
　【０００１】
　　【産業上の利用分野】
　本発明は、ゴルフクラブ用シャフトに関する。
　【０００２】
　　【従来の技術】
　従来、ゴルフクラブ用シャフトは、グリップを装着する後端側の剛性を高めるために、その外形を先端部から後端部にかけて徐々に径が太くなるようにテーパ状に成形している。
　【０００３】
　そして、昨今では、従来の金属製パイプに代えて、例えば実公平３−４１７２８号公報に開示されるように、カーボン繊維やガラス繊維等の高強度繊維にエポキシ，ポリエステル等のマトリックスを含浸したプリプレグシート（繊維強化合成樹脂シート）を複数枚巻回してなるゴルフクラブ用シャフトが開発されている。
　【０００４】
　然し、複数枚のプリプレグシートを巻回してシャフト本体を成形するに際し、例えばプリプレグシートを夫々一回宛巻回して各プリプレグシートの周方向の巻回両端部を重ねることなく突き合わせた場合、或いは図６に示すようにプリプレグシート１を主管３に二回巻回して、一方の巻回端部１ａとプリプレグシート１とが形成する段部５に他方の巻回端部１ｂを突き合わせた場合に、これらの突合わせ部分は他の部位に比し強度がやや弱い。
　【０００５】
　にも拘らず、従来、複数枚のプリプレグシートを巻回してシャフト本体を成形していく場合、各プリプレグシートの巻回両端部の突合わせ部分の配置は何ら考慮されていなかった。
　【０００６】
　そのため、巻回両端部の突合わせ部分が一方に偏って複数配置されると、シャフト本体の周方向に異方性（周方向で剛性が異なること）が発生してしまう虞があった。
　【０００７】
　一方、斯様にプリプレグシートの巻回両端部を突き合わせずに重ね合わせていく方法も採用されているが、斯様に巻回両端部を重ね合わせるとプリプレグシートの巻回両端部に於ける肉厚が厚くなるため、この巻回両端部と巻回両端部を除く部分との間に段部ができ、その結果、全周面に亘ってシャフト本体が同じ肉厚とならず、同様に周方向に異方性が発生してしまう虞があった。
　特に、曲げ剛性に大きな影響を及ぼす繊維方向をシャフト本体の軸長方向へ引き揃えたプリプレグシートを巻回した際に、巻回両端部が重なり合って段部ができシャフト本体に偏肉部が成形されてしまうと、段差や偏肉に起因する繊維のズレや蛇行によって強度の安定が図れず、シャフト本体の周方向の剛性の均一化が図れない虞があった。
　【０００８】
　従って、上述の如きシャフト本体を用いたゴルフクラブでは、スイング時にヘッドが振れて正確にボールを打球できないこととなる。
　本発明は斯かる実情に鑑み案出されたもので、シャフト本体の周方向の剛性を略均一にすることによって、スイング時に振れのないゴルフクラブ用シャフトを提供することを目的とする。
　【０００９】
　　【課題を解決するための手段】
　斯かる目的を達成するため、本発明は、繊維方向を交差状に配置した繊維強化合成樹脂シートを巻回して成形した層の外側に、
シャフト本体の船長と同一寸歩で、
繊維強化合成樹脂シートを巻回すると共に、この外周にシャフト本体の全長より短く、繊維方向をシャフト本体の軸長方向に引き揃えた補強用繊維強化合成樹脂シートを巻回して成形したゴルフクラブ用シャフトに於て、上記補強用繊維強化合成樹脂シートを、シャフト本体の長手方向に寸法の異なる複数枚の補強用繊維強化合成樹脂シートとし、繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突合わせ部分と
　【００１０】
　　【作用】
　本発明に係るゴルフクラブ用シャフトは、繊維
方向をシャフト本体の軸長方向に引き揃えた補強用繊維強化合成樹脂シートを巻回するに当たり、補強用繊維強化合成樹脂シートを、シャフト本体の長手方向に寸法の異なる複数枚の補強用繊維強化合成樹脂シートとし、そして、繊維方向を交差上に配置した繊維強化合成樹脂シートを巻回して成形した層の外側に、シャフト本体の全長と同一寸法で、繊維方向をシャフト本体の軸長方向に引き揃えた繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突合わせ部分とをシャフト本体の周方向に略均等に分散させたから、シャフト本体の周方向の剛性の均一化が図られる。
　
又、巻
　【００１１】
　従って、斯かるゴルフクラブ用シャフトを装着したゴルフクラブをスイングしたとき、シャフト本体はその周方向に異方性が発生することなくヘッドの振れの発生を防止することとなる。
　【００１２】
　　【実施例】
　以下、本発明の実施例を図面に基づき詳細に説明する。
　図１は本発明の一実施例に係るゴルフクラブ用シャフトを装着したゴルフクラブを示し、図に於て、７は繊維強化樹脂製のシャフト本体で、当該シャフト本体７は、ヘッド９が装着された先端部の外径が１０ｍｍ以下で、当該先端部からグリップ１１が装着された後端部にかけての外形が１０００分の０から１０００分の４のテーパで略ストレート状に成形されて、従来のゴルフクラブ用シャフトに比し径が細く、スウィングの際に空気抵抗の小さな形状となっている。
　【００１３】　
　そして、図２に示すように上記シャフト本体７は、内層１３と外層１５からなる主管１７と、当該主管１７の後端側外周に順次積層された第一補強層１９，第二補強層２１，第三補強層２３及び第四補強層２５で構成されている。そして、図３及び図４に示すように内層１３と外層１５は、夫々、シャフト本体７の全長と同一寸法に裁断された２枚のプリプレグシート２７，２９を二回宛巻回して成形され、又、補強層１９，２１，２３，２５は、シャフト本体７の全長より短く、シャフト本体７の長手方向に寸法の異なる４枚の補強プリプレグシート３１，３３，３５，３７を夫々主管１７の後端部３９に揃えて、一回宛巻回して成形されている。
　【００１４】
　上記内層１３は、図４の如く繊維を交差状に配置したカーボン繊維織布４１にマトリックス４３を含浸させたプリプレグシート２７をマンドレル４５に二回巻回してなるもので、図３に示すように、プリプレグシート２７の周方向の一方（巻始め側）の巻回端部２７ａと当該プリプレグシート２７とが形成する段部４７に他方（巻終り側）の巻回端部２７ｂが突き合わさって、当該内層１３は全周面に亘り肉厚が均一に成形されている。
　【００１５】
　そして、当該内層１３の外周に、図４の如くカーボン繊維４９をシャフト本体７の軸長方向へ一方向に引き揃えたプリプレグシート２９を二回巻回して外層１５が成形されているが、図３に示すようにプリプレグシート２９は、上記プリプレグシート２７の巻回端部２７ｂの突合わせ部分から１８０゜ずれた位置から巻回されて、その巻始め側の巻回端部２９ａとプリプレグシート２９とが形成する段部４９に、巻終り側の巻回端部２９ｂが突き合わさって、その肉厚が全周面に亘り均一となっている。
　【００１６】
　一方、上記各補強層１９，２１，２３，２５は、内側の第一補強層１９から外側の第四補強層２５へとその長さが順次短く設定してあり、斯様に長さの異なる補強層１９，２１，２３，２５を主管１７の後端部３９側外周に積層させることによって、シャフト本体７は例えば先端部５１の外径ｒが８ｍｍ、そして、当該先端部５１から後端部５３までの外形が１０００分の３のテーパで、後端部５３へ行くに従い肉厚が順次大きくなった略ストレート状の筒体となっている。
　【００１７】　
　又、上記各補強層１９，２１，２３，２５は、第一補強層１９から第四補強層２５になるに従いより弾性率の高いプリプレグシートが使用されており、斯様に補強層１９，２１，２３，２５の弾性率を順次高く設定することによって、シャフト本体７の後端部５３側の剛性を次第に大きくして
おり、本実施例は、寸法の異なる４枚の補強プリプレグシート３１，３３，３５，３７を用いてシャフト本体７の長手方向の曲げ剛性を調節したものである。
　【００１８】
　而して、これらの補強層１９，２１，２３，２５は、図３及び図４に示すように補強プリプレグシート３１，３３，３５，３７を夫々一回宛巻回して成形されているが、巻回両端部３１ａ，３３ａ，３５ａ，３７ａは各々他方の巻回両端部３１ｂ，３３ｂ，３５ｂ，３７ｂに重なることなく略突き合わさり、そして、各突合わせ部分は、図３に示すようにシャフト本体７の周方向へ９０°宛ずれた構造となっている。
　【００１９】
　而して、以上のように構成された本実施例のゴルフクラブ用シャフトは、図４に示す方法によって製造される。
　先ず、従来と同様、外周を約１０００分の２のテーパ面としたマンドレル４５の全長に亘りプリプレグシート２７を二回巻回して、上述したように一方の巻回端部２７ａとプリプレグシート２７とが形成する段部４７に他方の巻回端部２７ｂを突き合わせて内層１３を成形する。
　【００２０】
　次に、上記外層１５を成形するため、上記巻回端部２７ｂの突合わせ部分から１８０゜ずらした位置からプリプレグシート２９を二回巻回して、その一方の巻回端部２９ａとプリプレグシート２９とが形成する段部４９に他方の巻回端部２９ｂを突き合わせる。
　【００２１】
　このように内層１３の外周に外層１５を成形することによって、外形のテーパが約１０００分の２程度で、その肉厚が全長に亘って略等しい主管１７が成形される。
　【００２２】
　続いて、上記第一補強層１９を成形するため、主管１７の先端側を除く外周に、シャフト本体７の軸長方向へ一方向に引き揃えたカーボン繊維４９にマトリックス４３を含浸した補強プリプレグシート３１を一回巻回し、図３に示すようにその巻始め側と巻終り側の巻回両端部３１ａ，３１ｂを互いに突き合わせる。
　【００２３】
　そして、次に、第二補強層２１を第一補強層１９の外側に設けるため、同様に、シャフト本体７の軸長方向へ一方向に引き揃えたカーボン繊維４９にマトリックス４３を含浸した補強プリプレグシート３３を第一補強層１９の外周に一回巻回させて、その巻始め側と巻終り側の巻回両端部３３ａ，３３ｂを、第一補強層２１の巻回両端部３１ａ，３１ｂの突合わせ部分から周方向へ９０°の間隔を開けて突き合わせる。
　【００２４】
　そして、更に、第三補強層２３，第四補強層２５を積層させるため、同様に、シャフト本体７の軸長方向へ一方向に引き揃えたカーボン繊維４９にマトリックス４３を含浸した補強プリプレグシート３５，３７を、第二補強層２１の外周に夫々一回宛巻回させ乍ら、巻回端部３５ａ，３５ｂ及び巻回端部３７ａ，３７ｂを更に周方向へ９０°宛ずらして突き合わせ、最後に、これらの外周を緊締テープ（図示せず）で緊縛して熱硬化処理を行い、そして、マンドレル４５を引き抜いて緊締テープを剥離することにより、本実施例のシャフト本体７が得られることとなる。
　【００２５】
　このように、本実施例に係るシャフト本体７は、主管１７の内層１３を構成するプリプレグシート
２７
２７ａ，２７ｂ
２９
２９ａ，２９ｂ
　【００２６】
　而も、既述したように本実施例は、特に、曲げ剛性に大きな影響を及ぼす繊維方向をシャフト本体の軸長方向に引き揃えたプリプレグシート２９．３１，３３，３５，３７を巻回して成形した層の肉厚を均一化したので、
補強プリプレグシート３１，３３，３５，３７により長手方向にシャフト本体７の肉圧を変化させて曲げ剛性の調節を行う際にも、全周面に亘りシャフト本体７が同じ肉圧となってシャフト本体７の周方向
　【００２７】
　尚、図５に示すように、上記実施例の補強プリプレグシート３１，３３，３５，３７の先端側に夫々傾斜辺３１ｃ，３３ｃ，３５ｃ，３７ｃを設ければ、各補強層１９，２１，２３，２５は螺旋状に成形されるので、シャフト本体７の表面が上記実施例に比しやや滑らかなものとすることができる利点を有する。
　【００２８】
　又、本実施例のシャフト本体７は、従来のゴルフクラブ用シャフトに比し径が細く略ストレート状に成形されているから、斯かるシャフト本体７を用いたゴルフクラブのスウィングの際に、ゴルフクラブ用シャフトの空気抵抗が従来のシャフトよりも小さくなってスウィングスピードの向上に寄与することとなる。
　【００２９】
　而も、本実施例に係るゴルフクラブ用シャフトは、単に従来のゴルフクラブ用シャフトに比し径を細くしただけではなく、シャフト本体７内に、その後端部５３側になるに従い弾性率のより高い４つの補強層１９，２１，２３，２５を設けてその剛性を高めたから、腕のあるゴルファーがスウィングしても、これらの補強層１９，２１，２３，２５によってゴルフクラブの剛性が確保されることとなる。
　【００３０】
　従って、本実施例によれば、腕のあるゴルファーに適した空気抵抗が小さく充分な剛性を持つゴルフクラブを提供することができる効果を併せて有する。
　尚、上記実施例では、プリプレグシート２５，２７を夫々二回宛巻回して内層１３と外層１５を成形し、又、補強プリプレグシート３１，３３，３５，３７を夫々一回宛巻回して各補強層１９，２１，２３，２５を主管１７の外周に成形した
が、各プリプレグシート２７，３１，３３，３５，３７
　従って、上記実施例に代え、プリプレグシート２７を一回巻回して外層を成形した後、この外周に補強プリプレグシート３１，３３，３５，３７を夫々一回宛巻回してもよいし、又、プリプレグシート２７，３１，３３，３５，３７を夫々二回以上巻回してもよく、各プリプレダシートの巻回数とその組合せは任意に選択可能である。
　【００３１】
　　【発明の効果】
　以上述べたように、本発明
は、繊維方向を交差上に配置した繊維強化合成樹脂シートを巻回して成形した層の外側に、シャフト本体の全長と同一寸法で、繊維方向をシャフト本体の軸長方向に引き揃えた繊維強化合成樹脂シートを巻回すると共に、この外周にシャフト本体の全長より短く、繊維方向をシャフト本体の軸長方向に引き揃えた補強用繊維強化合成樹脂シートを巻回して成形したゴルフクラブ用シャフトに於て、補強プリプレグシートを巻回してシャフト本体の長手方向の曲げ剛性を調節するに当たり、補強用繊維強化合成樹脂シートを、シャフト本体の長手方向に寸法の異なる複数枚の補強用繊維強化合成樹脂シートとし、そして、繊維方向をシャフト本体の軸長方向に引き揃えた上記繊維強化合成樹脂シートを一回巻回して、その周方向巻回両端部を重ねることなく突き合わせ、又はこれを複数回巻回して、巻始め側の巻回端部と当該繊維強化合成樹脂シートが形成する段部に巻終り側巻回端部を重ねることなく突き合わせ、且つ上記各補強用繊維強化合成樹脂シートをそれぞれ一回巻回して、それぞれの周方向巻回両端部を重ねることなく突き合わせ、又はこれらをそれぞれ複数回巻回して、巻始め側の巻回端部と各補強用繊維強化合成樹脂シートがそれぞれ形成する段部に巻終り側巻回端部を重ねることなく突き合わせると共に、繊維方向をシャフト本体の軸長方向に引き揃えた繊維強化合成樹脂シートの巻回端部の突合わせ部分と、補強用繊維強化合成樹脂シートの巻回端部の各突き合わせ部分と
全周面に亘りシャフト本体が同じ肉厚となって
　而も、
繊維強化合成樹脂シートの巻回端部を突き合わせると共に、補強用
【図面の簡単な説明】
　　【図１】
　本発明の一実施例に係るゴルフクラブ用シャフトを用いたゴルフクラブの正面図である。
　　【図２】
　図１に示すゴルフクラブ用シャフトの縦断面図である。
　　【図３】
　図２のＩＩＩ−ＩＩＩ線断面図断面図である。
　　【図４】
　図２に示すゴルフクラブ用シャフトの製造方法を示す工程図である。
　　【図５】
　本発明の他の実施例に係るゴルフクラブ用シャフトの製造方法を示す工程図である。
　　【図６】
　従来のゴルフクラブ用シャフトの縦断面図である。
　　【符号の説明】
　７　シャフト本体
　１３　内層
　１５　外層
　１７　主管
　１９　第一補強層
　２１　第二補強層
　２３　第三補強層
　２５　第四補強層
　２７，２９　プリプレグシート
　３１，３３，３５，３７補強プリプレグシート
　４５　マンドレル